(57)【要約】      （修正有）【課題】１線地絡感電電撃を半減する人命保護安全策と，単相１００Ｖ負荷電流不平衡率を改善する電気的悪影響軽減策と、適正受電契約策をする感電電圧半減装置を提供する。【解決手段】単相１００Ｖ供給方式を、Ｒ−Ｔ相線間電圧２００Ｖから専用分岐回路入力単相２００Ｖを電圧降圧部に印可し、該相電圧を１／２等分したＲ相及びＴ相・対地間電圧５０Ｖ２線により、新たな負荷線間電圧１００Ｖとして供給する単相２線式５０／１００Ｖとする送電であって、相間不平衡を皆無とし、１線地落感電事故の対地間電圧電撃を１／２等分５０Ｖにする。【選択図】図６
2016116302.tif 000002
【特許請求の範囲】
【請求項１】
単相３線式１００／２００Ｖ送電方式の需要家１００Ｖは，Ｒ相及びＴ相・対地間電圧１００Ｖ１線とＳ相中性線・対地間電圧０Ｖ１線で供給されている。
該供給単相１００Ｖ方式を，該供給Ｒ−Ｔ相線間電圧２００Ｖから専用分岐回路入力単相２００Ｖを電圧降圧部に印可し，該相電圧を１／２等分したＲ相及びＴ相・対地間電圧５０Ｖ２線により，新たな負荷線間電圧１００Ｖとして供給する単相２線式５０／１００Ｖとする送電であって，１線地落感電事故の対地間電圧電撃を１／２等分５０Ｖにすることを特徴とする感電電圧半減装置。
【請求項２】
片相に起きる電圧降下・電圧変動・フリッカの電気的悪影響となる要因負荷と相間不平衡要因となる異容量負荷の負荷電流を，Ｒ相及びＴ相電圧線に１／２等分する単相２線式５０／１００Ｖ送電法により相間不平衡を皆無とすることを特徴とする請求項１に記載の感電電圧半減装置。
【発明の詳細な説明】
【技術分野】
【０００１】
本発明は，感電電圧半減装置に関する。
【背景技術】
【０００２】
低圧（交流６００Ｖ以下）受電設備の感電死傷事故対策として，漏電ブレーカを配電盤の主開閉器のみに設置する場合と，主開閉器にサーキットブレーカを設置し各分岐回路に漏電ブレーカを個別に設置する場合と，主開閉器と分岐回路双方に漏電ブレーカを設置し漏電感度協調を図る３例がある。
【０００３】
工場・店舗・住宅需要単相１００Ｖ負荷設備の１線地落感電事故時に受ける感電電撃は対地間電圧１００Ｖであり，この対地間電圧を半減する方法はなかった。
【先行技術文献】
【特許文献】
【０００４】
【特許文献１】特許  第５１６６４８４号
【非特許文献】
【０００５】
【非特許文献１】中部電力株式会社  電気供給約款
【発明の概要】
【発明が解決しようとする課題】
【０００６】
本発明は，住宅（約５，０００万世帯），店舗（約１１４万店），工場（一次，二次，三次産業を含む）では，適正な漏電保護・管理が要求されるものの受電設備を設計する場合，感電事故対策は電気工事の施工費安価が優先されるため，もっとも安価な施工費の幹線主開閉器に過電流保護と短絡保護を備えた漏電ブレーカを設置する事例が多く，商業店舗では漏電感度を人命保護感度３０mAから外れた１００mA又は２００mAとする選定が多く問題である。
【０００７】
特に単相３線式１００／２００Ｖ供給の１００Ｖコンセント電圧線は，住宅内の施工位置も低く幼児がコンセント穴に異物を挿入する感電事例もあり，更に商業施設・飲食店の水回りコンセント負荷設備の絶縁環境・状態は低く，感電事故時の電撃も大きくなるため感電電撃を和らげる技術が求められる。
【０００８】
非特許文献１  単相３線式１００／２００Ｖ供給負荷電源１００Ｖは，相電圧線２線の相電流平衡率が分岐回路数と誘導負荷の特性により大きく変動し，幹線主開閉器の容量選定は，この変動率分の見合いをとるため適正アンペア値から外れた余剰を含むアンペア値となる大型事例が多く，適正な幹線保護の過電流遮断としての協調が取れていない問題が生じている。
【課題を解決するための手段】
【０００９】
単相３線式１００／２００Ｖ送電方式の需要家１００Ｖは，Ｒ相及びＴ相・対地間電圧１００Ｖ１線とＳ相中性線・対地間電圧０Ｖ１線で供給されている。
該供給単相１００Ｖ方式を，該供給Ｒ−Ｔ相線間電圧２００Ｖから専用分岐回路入力単相２００Ｖを電圧降圧部に印可し，該相電圧を１／２等分したＲ相及びＴ相・対地間電圧５０Ｖ２線により，新たな負荷線間電圧１００Ｖとして供給する単相２線式５０／１００Ｖとする送電であって，１線地落感電事故の対地間電圧電撃を１／２等分５０Ｖにすることを特徴とする感電電圧半減装置を提供する。
【００１０】
片相に起きる電圧降下・電圧変動・フリッカの電気的悪影響となる要因負荷と相間不平衡要因となる異容量負荷の負荷電流を，Ｒ相及びＴ相電圧線に１／２等分する単相２線式５０／１００Ｖ送電法により相間不平衡を皆無とすることを特徴とする感電電圧半減装置を提供する。
【発明の効果】
【００１１】
本発明により，分岐回路相電圧線１線地落感電事故の電撃を，主開閉器一次側相電圧の対地間電圧１００Ｖから対地間電圧５０Ｖに半減できる。
【００１２】
本発明により，負荷電流を相電圧２線に等しく分流でき低力率誘導負荷が要因の始動電流電圧降下・電圧変動・フリッカの電気的悪影響を大きく軽減できる。  
特許文献１  特許  第５１６６４８４号  力率調整装置導入が可能となり，コンデンサ仕様を単相２００Ｖで統一できるので，単相１００Ｖコンデンサは不要となり力率改善容量も線間電圧に比例し小容量になるので安価となる。
【００１３】
本発明により，電力供給事業者は柱上変圧器二次側電圧線の電流平衡率と高圧母線の電流平衡率を高める。
【００１４】
本発明により，需要家は主開閉器相電圧線電流の平衡率が高まり主開閉器アンペア値を負荷設備の稼働率に等しく選択でき，非特許文献１  契約種別  主開閉器契約のアンペア値を低減でき契約容量ＫＷと基本料金削減￥が可能となる。
【図面の簡単な説明】
【００１５】
【図１】正面図                    感電電圧半減装置
【図２】背面図                    感電電圧半減装置
【図３】施工図 改善前             電灯配電盤
【図４】施工図 改善後             電灯配電盤
【図５】配線図                    専用回路接続構成及び対地間電圧比較
【図６】１線地落感電事故          感電電圧半減説明
【発明を実施するための形態】
【００１６】
本発明を，その実施の形態を示す図面に基づいて具体的に説明する。
使用に際しては電気供給約款（非特許文献１）に拘束されており，低圧契約需要家に支障を来すことなく契約締結を可能とする技術を提供するものである。
【００１７】
図１は，正面図であり１収納ケースに，２電源ランプ，３負荷電流計，４負荷ブレーカと内部に電圧降圧部を備える。
図２は，背面図であり１収納ケースに，２単相２００Ｖ入力端子台，３単相５０／１００Ｖ負荷出力端子台１・２・３を備える。
図３は，施工図改善前であり単相３線式１００／２００Ｖ電灯配電盤図である。１主開閉器，２負荷照明，３負荷照明，４負荷電動機器，５負荷電動機器，６負荷電動機器，７負荷電熱機器の配列を示す。  
図４は，施工図改善後であり単相３線式１００／２００Ｖ電灯配電盤に接続した場合の８感電電圧半減装置へ電源供給する１３感電電圧半減装置  専用分岐回路入力単相２００Ｖから１０・１１・１２感電電圧半減装置  単相５０／１００Ｖ負荷出力端子台１・２・３を経て４・５・６負荷電動機器への接続を示し，１４・１５は予備回路となることを示す。                              
図５は，配線図であり図４「施工図改善後」４・５・６負荷電動機の通電経路を１単相３線式１００／２００Ｖから８負荷線間電圧１００Ｖを経て使用する１回路を例示し，１２対地間電圧５０Ｖの説明を成す。
図６は，電灯配電盤から供給される１００Ｖ電路で，１線地落感電事故が起きた場合の感電電圧半減装置の利便を，線間電圧と対地間電圧と感電電圧の該値を示し詳細に説明を成す。
【符号の説明】
【００１８】
正面図
１  収納ケース
２  電源ランプ
３  負荷電流計
４  負荷ブレーカ
【００１９】
背面図
１  収納ケース
２  単相２００Ｖ入力端子台
３  単相５０／１００Ｖ負荷出力端子台１・２・３
【００２０】
施工図改善前
１  主開閉器
２  負荷照明
３  負荷照明
４  負荷電動機器
５  負荷電動機器
６  負荷電動機器
７  負荷電熱機器
【００２１】
施工図改善後
１  主開閉器
２  負荷照明
３  負荷照明
４  負荷電動機器
５  負荷電動機器
６  負荷電動機器
７  負荷電熱機器
８  感電電圧半減装置
９  感電電圧半減装置  単相２００Ｖ入力端子台
１０  感電電圧半減装置  単相５０／１００Ｖ負荷出力端子台１
１１  感電電圧半減装置  単相５０／１００Ｖ負荷出力端子台２
１２  感電電圧半減装置  単相５０／１００Ｖ負荷出力端子台３
１３  感電電圧半減装置  専用分岐回路入力単相２００Ｖ
１４  予備回路
１５  予備回路
【００２２】
配線図
１  単相３線式１００／２００Ｖ
２  Ｒ−Ｔ相線間電圧２００Ｖ
３  分岐ブレーカ
４  収納ケース
５  電圧降圧部
６  負荷電流計
７  負荷ブレーカ
８  負荷線間電圧１００Ｖ
９  負荷
１０  大地
１１  対地間電圧１００Ｖ
１２  対地間電圧  ５０Ｖ
【図１】
2016116302.tif 000003
【図２】
2016116302.tif 000004
【図３】
2016116302.tif 000005
【図４】
2016116302.tif 000006
【図５】
2016116302.tif 000007
【図６】
2016116302.tif 000008
【手続補正書】
【提出日】平成27年1月22日(2015.1.22)
【手続補正１】
【補正対象書類名】明細書
【補正対象項目名】全文
【補正方法】変更
【補正の内容】
【発明の詳細な説明】
【技術分野】
【０００１】
本発明は，感電電圧半減装置に関する。
【背景技術】
【０００２】
低圧（交流６００Ｖ以下）受電設備の感電死傷事故対策として，漏電ブレーカを配電盤の主開閉器のみに設置する場合と，主開閉器にサーキットブレーカを設置し各分岐回路に漏電ブレーカを個別に設置する場合と，主開閉器と分岐回路双方に漏電ブレーカを設置し漏電感度協調を図る３例がある。
【０００３】
工場・店舗・住宅需要単相１００Ｖ負荷設備の１線地落感電事故時に受ける感電電撃は対地間電圧１００Ｖであり，この対地間電圧を半減する方法はなかった。
【先行技術文献】
【特許文献】
【０００４】
【特許文献１】特許  第５１６６４８４号
【非特許文献】
【０００５】
【非特許文献１】中部電力株式会社  電気供給約款
【発明の概要】
【発明が解決しようとする課題】
【０００６】
本発明は，住宅（約５，０００万世帯），店舗（約１１４万店），工場（一次，二次，三次産業を含む）では，適正な漏電保護・管理が要求されるものの受電設備を設計する場合，感電事故対策は電気工事の施工費安価が優先されるため，もっとも安価な施工費の幹線主開閉器に過電流保護と短絡保護を備えた漏電ブレーカを設置する事例が多く，商業店舗では漏電感度を人命保護感度３０mAから外れた１００mA又は２００mAとする選定が多く問題である。
【０００７】
特に単相３線式１００／２００Ｖ供給の１００Ｖコンセント電圧線は，住宅内の施工位置も低く幼児がコンセント穴に異物を挿入する感電事例もあり，更に商業施設・飲食店の水回りコンセント負荷設備の絶縁環境・状態は低く，感電事故時の電撃も大きくなるため感電電撃を和らげる技術が求められる。
【０００８】
非特許文献１  単相３線式１００／２００Ｖ供給負荷電源１００Ｖは，相電圧線２線の相電流平衡率が分岐回路数と誘導負荷の特性により大きく変動し，幹線主開閉器の容量選定は，この変動率分の見合いをとるため適正アンペア値から外れた余剰を含むアンペア値となる大型事例が多く，適正な幹線保護の過電流遮断としての協調が取れていない問題が生じている。
【課題を解決するための手段】
【０００９】
単相３線式１００／２００Ｖ送電方式の需要家・負荷線間電圧１００Ｖは，電圧線Ｒ相及びＴ相・対地間電圧１００Ｖ１線とＳ相中性線・対地間電圧０Ｖ１線で供給されている。
該供給単相１００Ｖ方式を，該供給Ｒ−Ｔ相線間電圧２００Ｖから専用分岐回路  入力単相２００Ｖを経て電圧降圧部に印可し，該相電圧を降圧比１／２等分圧したＲ相及びＴ相・対地間電圧５０Ｖ２線により，新たな負荷線間電圧１００Ｖとして供給する単相２線式５０／１００Ｖとする送電であって，１線地落感電事故の被災電圧及び電撃を降圧比１／２等分圧の対地間電圧５０Ｖにすることを特徴とする感電電圧半減装置を提供する。
【００１０】
単相１００Ｖ負荷稼働中の片相電圧線に起きる電圧降下・電圧変動・フリッカの電気的悪影響発生と相間不平衡電流発生要因の始動電流及び運転電流特性を有する負荷機器を，降圧比１／２等分圧する単相２線式５０／１００Ｖに接続することにより一次側電圧線２線に負荷電流を均等に分流し電気的悪影響の軽減と相間不平衡電流を皆無とすることを特徴とする感電電圧半減装置を提供する。
【発明の効果】
【００１１】
本発明により，分岐回路相電圧線１線地落感電事故災害の電撃被害を，主開閉器一次側相電圧の対地間電圧１００Ｖから負荷相電圧を対地間電圧５０Ｖに半減できるので,就労者の感電事故防護をより高める被害対策法となる。
【００１２】
本発明により，負荷電流を相電圧２線に等しく分流でき低力率誘導負荷が要因の始動電流電圧降下・電圧変動・フリッカの電気的悪影響を大きく軽減できる。  
【００１３】
本発明により，特許文献１  特許  第５１６６４８４号  力率調整装置導入が可能となり，コンデンサ仕様を単相２００Ｖで統一できるので，単相１００Ｖコンデンサは不要となり力率改善容量も線間電圧に反比例し小容量になるので安価となる。
【００１４】
本発明により，電力供給事業者は柱上変圧器二次側電圧線の電流平衡率と高圧母線の電流平衡率を高めることができ、需要家は主開閉器相電圧線電流の平衡率が高まり主開閉器アンペア値を負荷設備の稼働率に等しく選択でき，非特許文献１  契約種別主開閉器契約のアンペア値を低減でき契約容量と基本料金削減が可能となる。
【図面の簡単な説明】
【００１５】
【図１】正面図                    感電電圧半減装置
【図２】背面図                    感電電圧半減装置
【図３】施工図 改善前             電灯配電盤
【図４】施工図 改善後             電灯配電盤
【図５】配線図                    専用回路接続構成及び対地間電圧比較
【図６】１線地落感電事故          感電電圧半減説明
【発明を実施するための形態】
【００１６】
本発明を，その実施の形態を示す図面に基づいて具体的に説明する。
使用に際しては電気供給約款（非特許文献１）に拘束されており，低圧契約需要家に支障を来すことなく契約締結を可能とする技術を提供するものである。
【００１７】
図１は，正面図であり１収納ケースに，２電源ランプ，３負荷電流計，４負荷ブレーカと内部に電圧降圧部を備える。
図２は，背面図であり１収納ケースに，２単相２００Ｖ入力端子台，３単相５０／１００Ｖ負荷出力端子台１・２・３を備える。
図３は，施工図改善前であり単相３線式１００／２００Ｖ電灯配電盤図である。１主開閉器，２負荷照明，３負荷照明，４負荷電動機器，５負荷電動機器，６負荷電動機器，７負荷電熱機器の配列を示す。  
図４は，施工図改善後であり単相３線式１００／２００Ｖ電灯配電盤に接続した場合の８感電電圧半減装置へ電源供給する１３感電電圧半減装置  専用分岐回路入力単相２００Ｖから１０・１１・１２感電電圧半減装置  単相５０／１００Ｖ負荷出力端子台１・２・３を経て４・５・６負荷電動機器への接続を示し，１４・１５は予備回路となることを示す。                              
図５は，配線図であり図４「施工図改善後」４・５・６負荷電動機の通電経路を１単相３線式１００／２００Ｖから８負荷線間電圧１００Ｖを経て使用する１回路を例示し，１２対地間電圧５０Ｖの説明を成す。
図６は，電灯配電盤から供給される１００Ｖ電路で，１線地落感電事故が起きた場合の感電電圧半減装置の利便を，線間電圧と対地間電圧と感電電圧の該値を示し詳細に説明を成す。
【符号の説明】
【００１８】
正面図
１  収納ケース
２  電源ランプ
３  負荷電流計
４  負荷ブレーカ
【００１９】
背面図
１  収納ケース
２  単相２００Ｖ入力端子台
３  単相５０／１００Ｖ負荷出力端子台１・２・３
【００２０】
施工図改善前
１  主開閉器
２  負荷照明
３  負荷照明
４  負荷電動機器
５  負荷電動機器
６  負荷電動機器
７  負荷電熱機器
【００２１】
施工図改善後
１  主開閉器
２  負荷照明
３  負荷照明
４  負荷電動機器
５  負荷電動機器
６  負荷電動機器
７  負荷電熱機器
８  感電電圧半減装置
９  感電電圧半減装置  単相２００Ｖ入力端子台
１０  感電電圧半減装置  単相５０／１００Ｖ負荷出力端子台１
１１  感電電圧半減装置  単相５０／１００Ｖ負荷出力端子台２
１２  感電電圧半減装置  単相５０／１００Ｖ負荷出力端子台３
１３  感電電圧半減装置  専用分岐回路入力単相２００Ｖ
１４  予備回路
１５  予備回路
【００２２】
配線図
１  単相３線式１００／２００Ｖ
２  Ｒ−Ｔ相線間電圧２００Ｖ
３  分岐ブレーカ
４  収納ケース
５  電圧降圧部
６  負荷電流計
７  負荷ブレーカ
８  負荷線間電圧１００Ｖ
９  負荷
１０  大地
１１  対地間電圧１００Ｖ
１２  対地間電圧  ５０Ｖ
【手続補正２】
【補正対象書類名】特許請求の範囲
【補正対象項目名】全文
【補正方法】変更
【補正の内容】
【特許請求の範囲】
【請求項１】
単相３線式１００／２００Ｖ送電方式の需要家・負荷線間電圧１００Ｖは，電圧線Ｒ相及びＴ相・対地間電圧１００Ｖ１線とＳ相中性線・対地間電圧０Ｖ１線で供給されている。
該供給単相１００Ｖ方式を，該供給Ｒ−Ｔ相線間電圧２００Ｖから専用分岐回路  入力単相２００Ｖを経て電圧降圧部に印可し，該相電圧を降圧比１／２等分圧したＲ相及びＴ相・対地間電圧５０Ｖ２線により，新たな負荷線間電圧１００Ｖとして供給する単相２線式５０／１００Ｖとする送電であって，１線地落感電事故の被災電圧及び電撃を降圧比１／２等分圧の対地間電圧５０Ｖにすることを特徴とする感電電圧半減装置。
【請求項２】
単相１００Ｖ負荷稼働中の片相電圧線に起きる電圧降下・電圧変動・フリッカの電気的悪影響発生と相間不平衡電流発生要因の始動電流及び運転電流特性を有する負荷機器を，降圧比１／２等分圧する単相２線式５０／１００Ｖに接続することにより一次側電圧線２線に負荷電流を均等に分流し電気的悪影響の軽減と相間不平衡電流を皆無とすることを特徴とする請求項１に記載の感電電圧半減装置。
【手続補正４】
【補正対象書類名】図面
【補正対象項目名】全図
【補正方法】変更
【補正の内容】
【図１】
2016116302.tif 000009
【図２】
2016116302.tif 000010
【図３】
2016116302.tif 000011
【図４】
2016116302.tif 000012
【図５】
2016116302.tif 000013
【図６】
2016116302.tif 000014
【手続補正書】
【提出日】平成27年3月28日(2015.3.28)
【手続補正１】
【補正対象書類名】特許請求の範囲
【補正対象項目名】請求項１
【補正方法】変更
【補正の内容】
【請求項１】
単相３線式１００／２００Ｖ送電方式の需要家・負荷線間電圧１００Ｖは，電圧線Ｒ相及びＴ相・対地間電圧１００Ｖ１線とＳ相中性線・対地間電圧０Ｖ１線で供給されている。
該供給単相１００Ｖ方式を，該供給Ｒ−Ｔ相線間電圧２００Ｖから専用分岐回路  入力単相２００Ｖを経て電圧降圧部に印可し，該相電圧を降圧比１／２等分圧したＲ相及びＴ相・対地間電圧５０Ｖ２線により，新たな負荷線間電圧１００Ｖとして供給する単相２線式５０／１００Ｖとする送電であって，１線地落感電事故の被災電圧及び電撃を降圧比１／２等分圧の対地間電圧５０Ｖにすることを特徴とし、該配電盤主開閉器二次側を施工位置とする感電電圧半減装置。
【手続補正書】
【提出日】平成27年8月26日(2015.8.26)
【手続補正１】
【補正対象書類名】明細書
【補正対象項目名】全文
【補正方法】変更
【補正の内容】
【発明の詳細な説明】
【技術分野】
【０００１】
本発明は，感電電圧半減装置に関する。
【背景技術】
【０００２】
単相３線式１００／２００ＶのＲ相及びＴ相の両相電圧を電圧降圧部に印可し対地間電圧値５０Ｖ２線出力から、新たな負荷線間電圧値１００Ｖとして供給する送電方式方法はなかった。
【０００３】
低圧（交流６００Ｖ以下）受電設備の感電死傷事故対策として，漏電ブレーカを配電盤の主開閉器のみに設置する場合と，主開閉器にサーキットブレーカを設置し各分岐回路に漏電ブレーカを個別に設置する場合と，主開閉器と分岐回路双方に漏電ブレーカを設置し漏電感度協調を図る３例がある。
【先行技術文献】
【特許文献】
【０００４】
【特許文献１】特許  第５１６６４８４号
【非特許文献】
【０００５】
【非特許文献１】中部電力株式会社  電気供給約款
【発明の概要】
【発明が解決しようとする課題】
【０００６】
本発明は，住宅（約５，０００万世帯），店舗（約１１４万店），工場（一次，二次，三次産業を含む）では，適正な漏電保護・管理が要求されるものの受電設備を設計する場合，感電事故対策は電気工事の施工費安価が優先されるため，もっとも安価な施工費の幹線主開閉器に過電流保護と短絡保護を備えた漏電ブレーカを設置する事例が多く，商業店舗では漏電感度を人命保護感度３０mAから外れた１００mA又は２００mAとする選定が多く問題である。
【０００７】
特に単相３線式１００／２００Ｖ供給の１００Ｖコンセント電圧線は，住宅内の施工位置も低く幼児がコンセント穴に異物を挿入する感電事例もあり，更に商業施設・飲食店の水回りコンセント負荷設備の絶縁環境・状態は悪く，感電事故時の電撃も大きくなるため感電電撃を和らげる技術が求められる。
【０００８】
非特許文献１  単相３線式１００／２００Ｖ供給負荷電源１００Ｖは，相電圧線２線の相電流平衡率が分岐回路数と誘導負荷の特性により大きく変動し，幹線主開閉器の容量選定は，この変動率分の見合いをとるため適正アンペア値から外れた余剰を含むアンペア値となる大型事例が多く，適正な幹線保護の過電流遮断としての協調が取れていない問題が生じている。
【課題を解決するための手段】
【０００９】
単相３線式１００／２００Ｖ送電方式の主開閉器から供給される単相２線式分岐回路・電圧値１００Ｖは、電圧線Ｒ相及びＴ相・対地間電圧値１００Ｖ１線とＳ相中性線・対地間電圧値０Ｖ１線から、電圧線１線と中性線１線を用いて分岐回路を構成する周知仕様を、
電圧線Ｒ相１線と電圧線Ｔ相１線を用いて専用分岐回路  入力単相２００Ｖを施設し、単相３線式１００／２００Ｖ主開閉器から前記・専用分岐回路  入力単相２００Ｖを経て、前記・専用分岐回路  入力単相２００Ｖの出力・接続点となる電圧降圧部を施設し、
前記・電圧降圧部  単相２００Ｖ  入力端子台に接続し、前記・単相２００Ｖ  入力端子台を経て電圧降圧部に接続し、前記・電圧降圧部・降圧比から負荷線間電圧値を非特許文献１  標準電圧値１０１±６Ｖを出力させ、前記・電圧降圧部・負荷出力端子台から１００Ｖ負荷機器に印加する送電経路に仕様組替え成し、
前記・専用分岐回路  入力単相２００ＶのＲ相・Ｔ相対地間電圧値１００Ｖを前記・電圧降圧部に印加することで、Ｒ相及びＴ相の両相電圧を電圧降圧部・降圧比１／２により、等分圧したＲ相及びＴ相・対地間電圧値５０Ｖ２線出力から、
新たな負荷線間電圧値１００Ｖとして供給する単相２線式５０／１００Ｖとする中性線不要の負荷線間電圧値を成す、非周知の単相２線式１００Ｖ送電方式であって、
電圧降圧部・巻線入力点Ｒ相とＴ相間に仮中点ｎ  電位０Ｖを設け、Ｒ相と仮中点ｎ  電位０Ｖ間に巻数Ｎ１ａと巻数Ｎ２ａを付設、及び仮中点ｎ  電位０ＶとＴ相間に巻数Ｎ２ｂと巻数Ｎ１ｂを付設し、仮中点ｎ  電位０Ｖから電圧５０Ｖとなる電位点を前記Ｎ１ａと前記Ｎ２ａ間からＲ相二次側・電圧値を出力し、及び仮中点ｎ  電位０Ｖから電圧５０Ｖとなる電位点を前記Ｎ２ｂと前記Ｎ１ｂ間からＴ相二次側・電圧値を出力することにより負荷線間電圧  非特許文献１  標準電圧値１０１±６Ｖを得る巻数比と分岐点と仮中点ｎ  電位０Ｖから電圧降圧部回路を構成する
ことを特徴とする感電電圧半減装置を提供する。
【発明の効果】
【００１０】
単相１００Ｖ負荷機器稼働中の片相電圧線に起きる電圧降下・電圧変動・フリッカの電気的悪影響発生と相間不平衡電流発生要因の始動電流及び運転電流特性を有する負荷機器を、単相２線式５０／１００Ｖに接続することにより一次側電圧母線Ｒ相及びＴ相２線に負荷電流を均等に分流し電気的悪影響の軽減と相間不平衡電流を皆無とする。
【００１１】
本発明により，分岐回路相電圧線１線地落感電事故災害の電撃被害を，主開閉器一次側相電圧の対地間電圧１００Ｖから負荷相電圧を対地間電圧５０Ｖに半減できるので,就労者の感電事故防護をより高める被害対策法となる。
【００１２】
本発明により，単相１００Ｖ低力率誘導負荷の異容量ｋｗと台数を電圧降圧部容量ＫＶＡで、２００Ｖとして一元取り扱い送電ができ、分岐回路数を少なくできる省力電気工事法及び施工費安価、施工期間短縮が可能となる。
【００１３】
本発明により，特許文献１  特許  第５１６６４８４号  力率調整装置導入が可能となり，コンデンサ仕様を単相２００Ｖで統一できるので，単相１００Ｖコンデンサは不要となり力率改善容量も線間電圧に反比例し小容量になるので安価となる。
【００１４】
本発明により，電力供給事業者は柱上変圧器二次側電圧線の電流平衡率と高圧母線の電流平衡率を高めることができ、需要家は主開閉器相電圧線電流の平衡率が高まり主開閉器アンペア値を負荷設備の稼働率に等しく選択でき，非特許文献１契約種別主開閉器契約のアンペア値を低減でき契約容量と基本料金削減が可能となる。
【図面の簡単な説明】
【００１５】
【図１】正面図                                          感電電圧半減装置
【図２】背面図                                          感電電圧半減装置
【図３】施工図 改善前                電灯配電盤
【図４】施工図 改善後                電灯配電盤
【図５】配線図                                          専用回路接続構成及び対地間電圧比較
【図６】１線地落感電事故         感電電圧半減説明
【図７】周知される単巻変圧器  １００Ｖ＝０Ｖ＋１００Ｖ出力巻線
【図８】対地間電圧半減・単巻変圧器  １００Ｖ＝５０Ｖ＋５０Ｖ出力巻線
【発明を実施するための形態】
【００１６】
本発明を，その実施の形態を示す図面に基づいて具体的に説明する。
使用に際しては電気供給約款（非特許文献１）に拘束されており，低圧契約需要家に支障を来すことなく契約締結を可能とする技術を提供するものである。
【００１７】
図１は，正面図であり１収納ケースに，２電源ランプ，３負荷電流計，４負荷ブレーカと内部に電圧降圧部を備える。
図２は，背面図であり１収納ケースに，２単相２００Ｖ入力端子台，３単相５０／１００Ｖ負荷出力端子台１・２・３を備える。
図３は，施工図改善前であり単相３線式１００／２００Ｖ電灯配電盤図である。１主開閉器，２負荷照明，３負荷照明，４負荷電動機器，５負荷電動機器，６負荷電動機器，７負荷電熱機器の配列を示す。  
図４は，施工図改善後であり単相３線式１００／２００Ｖ電灯配電盤に接続した場合の８感電電圧半減装置へ電源供給する１３感電電圧半減装置  専用分岐回路入力単相２００Ｖから１０・１１・１２感電電圧半減装置  単相５０／１００Ｖ負荷出力端子台を経て４・５・６負荷電動機器への接続を示し，１４・１５は予備回路となることを示す。
図５は，配線図であり図４「施工図改善後」４・５・６負荷電動機の通電経路を１単相３線式１００／２００Ｖから８負荷線間電圧１００Ｖを経て使用する１回路を例示し，１２対地間電圧５０Ｖの説明を成す。
図６は，電灯配電盤から供給される１００Ｖ電路で，１線地落感電事故が起きた場合の感電電圧半減装置の利便を，線間電圧と対地間電圧と感電電圧の値を示し詳細に説明を成す。
【００１８】
図７は、従来の電圧降圧部である単相１００Ｖ出力変圧器巻線構成を示す。
符号Ｖ３印加から、符号Ｖ４の変圧方法となる符号Ｎ１と符号Ｎ２の２カ所巻線区間から符号Ｕを設け符号Ｖ０及び符号Ｖ１００を経て、符号Ｖ４を得る。
【００１９】
図８は、本出願、電圧降圧部である単相１００Ｖ出力変圧器巻線構成を示す。
符号Ｖ３印加から符号Ｖ５の変圧方法となる符号Ｎ１ａと符号Ｎ２ａと符号Ｎ２ｂと符号Ｎ１ｂをＲ−Ｔ相間に４カ所を付設し、符号Ｎ２ａと符号Ｎ２ｂ間において符号ｎ電位０Ｖを設け、Ｒ相対地間電圧値５０Ｖ電位点である符号Ｖから符号Ｖ５０Ａを出力し、Ｔ相対地間電圧値５０Ｖ電位点である符号Ｗから符号Ｖ５０Ｂを出力し符号Ｖ５を出力得る。
【００２０】
国策送電方式１００Ｖ＝１００Ｖ＋０Ｖである
単相３線式１００／２００Ｖ送電方式の主開閉器から供給される単相２線式分岐回路・電圧値１００Ｖは、電圧線Ｒ相及びＴ相・対地間電圧値１００Ｖ１線とＳ相中性線・対地間電圧値０Ｖ１線から、電圧線１線と中性線１線を用いて分岐回路を構成する周知仕様を、
【００２１】
電圧線Ｒ相１線と電圧線Ｔ相１線を用いて専用分岐回路  入力単相２００Ｖを施設し、単相３線式１００／２００Ｖ主開閉器から前記・専用分岐回路  入力単相２００Ｖを経て、前記・専用分岐回路  入力単相２００Ｖの出力・接続点となる電圧降圧部を施設し、
【００２２】
前記・電圧降圧部  単相２００Ｖ  入力端子台に接続し、前記・単相２００Ｖ  入力端子台を経て電圧降圧部に接続し、前記・電圧降圧部・降圧比から負荷線間電圧値を非特許文献１  標準電圧値１０１±６Ｖを出力させ、前記・電圧降圧部・負荷出力端子台から１００Ｖ負荷機器に印加する送電経路に仕様組替え成し、
【００２３】
前記・専用分岐回路  入力単相２００ＶのＲ相・Ｔ相対地間電圧値１００Ｖを前記・電圧降圧部に印加することで、Ｒ相及びＴ相の両相電圧を電圧降圧部・降圧比１／２により、等分圧したＲ相及びＴ相・対地間電圧値５０Ｖ２線出力から、
新たな負荷線間電圧値１００Ｖとして供給する単相２線式５０／１００Ｖとする中性線不要の負荷線間電圧値を成す、非周知の単相２線式１００Ｖ送電方式であって
【００２４】
電圧降圧部・巻線入力点Ｒ相とＴ相間に仮中点ｎ  電位０Ｖを設け、Ｒ相と仮中点ｎ  電位０Ｖ間に巻数Ｎ１ａと巻数Ｎ２ａを付設、及び仮中点ｎ  電位０ＶとＴ相間に巻数Ｎ２ｂと巻数Ｎ１ｂを付設し、仮中点ｎ  電位０Ｖから電圧５０Ｖとなる電位点を前記Ｎ１ａと前記Ｎ２ａ間からＲ相二次側・電圧値を出力し、及び仮中点ｎ  電位０Ｖから電圧５０Ｖとなる電位点を前記Ｎ２ｂと前記Ｎ１ｂ間からＴ相二次側・電圧値を出力することにより負荷線間電圧  非特許文献１  標準電圧値１０１±６Ｖを得る巻数比と分岐点と仮中点ｎ  電位０Ｖから電圧降圧部回路を構成する
【００２５】
１線地落感電事故の被災電圧及び電撃を降圧比１／２等分圧の対地間電圧値５０Ｖにする分岐回路・送電施工を行う。
【符号の説明】
【００２６】
正面図
１  収納ケース
２  電源ランプ
３  負荷電流計
４  負荷ブレーカ
【００２７】
背面図
１  収納ケース
２  単相２００Ｖ入力端子台
３  単相５０／１００Ｖ負荷出力端子台１・２・３
【００２８】
施工図改善前
１  主開閉器
２  負荷照明
３  負荷照明
４  負荷電動機器
５  負荷電動機器
６  負荷電動機器
７  負荷電熱機器
【００２９】
施工図改善後
１  主開閉器
２  負荷照明
３  負荷照明
４  負荷電動機器
５  負荷電動機器
６  負荷電動機器
７  負荷電熱機器
８  感電電圧半減装置
９  感電電圧半減装置  単相２００Ｖ入力端子台
１０  感電電圧半減装置  単相５０／１００Ｖ負荷出力端子台１
１１  感電電圧半減装置  単相５０／１００Ｖ負荷出力端子台２
１２  感電電圧半減装置  単相５０／１００Ｖ負荷出力端子台３
１３  感電電圧半減装置  専用分岐回路入力単相２００Ｖ
１４  予備回路
１５  予備回路
【００３０】
配線図
１  単相３線式１００／２００Ｖ
２  Ｒ−Ｔ相線間電圧２００Ｖ
３  分岐ブレーカ
４  収納ケース
５  電圧降圧部
６  負荷電流計
７  負荷ブレーカ
８  負荷線間電圧１００Ｖ
９  負荷
１０  大地
１１  対地間電圧１００Ｖ
１２  対地間電圧  ５０Ｖ
【００３１】
符号
図７及び図８
Ａ  単相３線式１００／２００Ｖ  責任分解点
Ｂ  単相３線式１００／２００Ｖ  電灯配電盤  需給点
Ｃ  単相２線式  ２００Ｖ  単巻変圧器  専用分岐回路
Ｄ  単相２線式  ２００Ｖ  単巻変圧器  専用分岐回路  出力点
Ｅ  単相２線式  ２００Ｖ  単巻変圧器  専用分岐回路  巻線  入力点
Ｆ  単相２線式  ２００Ｖ  単巻変圧器  専用分岐回路  巻線  出力点
Ｇ  単相２線式  ２００Ｖ  感電電圧半減装置  単巻変圧器  巻線  入力点
Ｈ  単相２線式  ２００Ｖ  感電電圧半減装置  単巻変圧器  巻線  出力点
Ｖ１  Ｒ−Ｓ相  線間電圧  １００Ｖ＝１００Ｖ＋０Ｖ
Ｓ  中性線  対地間電圧  ０Ｖ
Ｖ２  Ｓ−Ｔ相  線間電圧  １００Ｖ＝０Ｖ＋１００Ｖ
Ｖ３  Ｒ−Ｔ相  線間電圧  ２００Ｖ
Ｎ１  巻数  Ｒ−Ｕ
Ｕ  巻数  Ｎ１−Ｎ２分岐点
Ｎ２  巻数  Ｕ−Ｔ
Ｖ０  Ｎ相  対地間電圧  ０Ｖ
Ｖ４  線間電圧  Ｎ−Ｔ  １００Ｖ＝０Ｖ＋１００Ｖ
Ｖ１００  Ｔ相  対地間電圧  １００Ｖ
Ｎ１ａ  巻数  Ｒ−Ｖ
Ｖ  巻数  Ｎ１ａ−Ｎ２ａ  分岐点
Ｎ２ａ  巻数  Ｖ−ｎ
ｎ  仮中点  電位  ０Ｖ
Ｎ２ｂ  巻数  ｎ−Ｗ
Ｗ  巻数  Ｎ２ｂ−Ｎ１ｂ
Ｎ１ｂ  巻数  Ｗ−Ｔ
Ｖ５０Ａ  Ｒ相  対地間電圧５０Ｖ
Ｖ５  感電電圧半減装置  単巻変圧器  出力  線間電圧  １００Ｖ＝５０Ｖ＋５０Ｖ
Ｖ５０Ｂ  Ｔ相  対地間電圧５０Ｖ
【手続補正２】
【補正対象書類名】特許請求の範囲
【補正対象項目名】全文
【補正方法】変更
【補正の内容】
【特許請求の範囲】
【請求項１】
単相３線式１００／２００Ｖ送電方式の主開閉器から供給される単相２線式分岐回路・電圧値１００Ｖは、電圧線Ｒ相及びＴ相・対地間電圧値１００Ｖ１線とＳ相中性線・対地間電圧値０Ｖ１線から、電圧線１線と中性線１線を用いて分岐回路を構成する周知仕様を、
電圧線Ｒ相１線と電圧線Ｔ相１線を用いて専用分岐回路  入力単相２００Ｖを施設し、単相３線式１００／２００Ｖ主開閉器から前記・専用分岐回路  入力単相２００Ｖを経て、前記・専用分岐回路  入力単相２００Ｖの出力・接続点となる電圧降圧部を施設し、
前記・電圧降圧部  単相２００Ｖ  入力端子台に接続し、前記・単相２００Ｖ  入力端子台を経て電圧降圧部に接続し、前記・電圧降圧部・降圧比から負荷線間電圧値を非特許文献１  標準電圧値１０１±６Ｖを出力させ、前記・電圧降圧部・負荷出力端子台から１００Ｖ負荷機器に印加する送電経路に仕様組替え成し、
前記・専用分岐回路  入力単相２００ＶのＲ相・Ｔ相対地間電圧値１００Ｖを前記・電圧降圧部に印加することで、Ｒ相及びＴ相の両相電圧を電圧降圧部・降圧比１／２により、等分圧したＲ相及びＴ相・対地間電圧値５０Ｖ２線出力から、
新たな負荷線間電圧値１００Ｖとして供給する
単相２線式５０／１００Ｖとする中性線不要の負荷線間電圧値を成す、非周知の単相２線式１００Ｖ送電方式であって、
電圧降圧部・巻線入力点Ｒ相とＴ相間に仮中点ｎ  電位０Ｖを設け、Ｒ相と仮中点ｎ  電位０Ｖ間に巻数Ｎ１ａと巻数Ｎ２ａを付設、及び仮中点ｎ  電位０ＶとＴ相間に巻数Ｎ２ｂと巻数Ｎ１ｂを付設し、仮中点ｎ  電位０Ｖから電圧５０Ｖとなる電位点を前記Ｎ１ａと前記Ｎ２ａ間からＲ相二次側・電圧値を出力し、及び仮中点ｎ  電位０Ｖから電圧５０Ｖとなる電位点を前記Ｎ２ｂと前記Ｎ１ｂ間からＴ相二次側・電圧値を出力することにより負荷線間電圧  非特許文献１  標準電圧値１０１±６Ｖを得る巻数比と分岐点と仮中点ｎ  電位０Ｖから電圧降圧部回路を構成する
ことを特徴とする感電電圧半減装置。
【手続補正４】
【補正対象書類名】図面
【補正対象項目名】全図
【補正方法】変更
【補正の内容】
【図１】
2016116302.tif 000015
【図２】
2016116302.tif 000016
【図３】
2016116302.tif 000017
【図４】
2016116302.tif 000018
【図５】
2016116302.tif 000019
【図６】
2016116302.tif 000020
【図７】
2016116302.tif 000021
【図８】
2016116302.tif 000022